(57)【要約】【課題】子供や高齢者などの力の弱い使用者であっても簡単に胴部の押圧操作を行うことができる滴下容器を提供する。【解決手段】滴下容器１０は、胴部１６の上部に口部２０が立設された容器本体１２と、該口部２０に装着されたキャップ１４とを備える。キャップ１４は、口部２０を通じて容器本体１２内と連通する排出孔３２ａを有するとともに、口部２０に装着される装着部２２と、装着部２２に第１のヒンジ３６を介して揺動可能に保持され、該第１のヒンジ３６の閉状態で排出孔を閉鎖する蓋部２４と、第１のヒンジ３６の反対側に形成された第２のヒンジ３８を介して蓋部２４に揺動可能に保持され、第１および第２のヒンジ３６，３８を共に開いて容器本体１２の反対側までめくり返すことで、容器本体１２の胴部１６を押圧可能な状態となる押圧操作レバー２６とを有する。【選択図】図４
2020001753.tif 000002
【特許請求の範囲】
【請求項１】
胴部の上部に口部が立設された容器本体と、該口部に装着されたキャップとを備える滴下容器であって、
前記キャップが、
前記口部を通じて前記容器本体内と連通する排出孔を有するとともに、前記口部に装着される装着部と、
前記装着部に第１のヒンジを介して揺動可能に保持され、該第１のヒンジの閉状態で前記排出孔を閉鎖する蓋部と、
前記第１のヒンジの反対側に形成された第２のヒンジを介して前記蓋部に揺動可能に保持され、前記第１および第２のヒンジを共に開いて前記容器本体の反対側までめくり返すことで、前記容器本体の前記胴部を押圧可能な状態となる押圧操作レバーとを有することを特徴とする滴下容器。
【請求項２】
前記装着部は、前記第１のヒンジの下方位置に凸部を有し、
前記押圧操作レバーは、前記第１および第２のヒンジを共に開いて前記容器本体の反対側までめくり返した際に前記凸部と嵌合する穴を有し、
前記押圧操作レバーは、前記凸部および前記穴との嵌合箇所を支点として前記容器本体の前記胴部を押圧可能である、請求項１に記載の滴下容器。
【請求項３】
前記第１および第２のヒンジが共に閉状態にあるときに、前記容器本体の前記胴部に沿った前記押圧操作レバーの格納姿勢を保持する保持手段を備える、請求項１または２に記載の滴下容器。
【発明の詳細な説明】
【技術分野】
【０００１】
本発明は、容器本体を逆さにし、容器本体の胴部を押圧することで内容液を吐出、滴下する滴下容器に関する。
【背景技術】
【０００２】
従来、口部、胴部および底部からなるボトル形状を有し内部に目薬などの内容液を収納した容器本体と、該容器本体の口部に固定され、該口部から起立する注出筒を有する中栓とを備え、容器本体を逆さにし、容器本体の胴部を指で挟んで押圧することで容器本体内が加圧され、注出筒先端から内容液が吐出、滴下される滴下容器がある（例えば特許文献１参照）。
【先行技術文献】
【特許文献】
【０００３】
【特許文献１】特開２００６−２４０６２４号公報
【発明の概要】
【発明が解決しようとする課題】
【０００４】
このような滴下容器は、吐出に際して使用者の指によって押圧される容器本体の胴部領域が指１本ないし２本分と狭く、子供や高齢者など力の弱い使用者が容器本体の胴部を押し込むのに苦労するという問題があった。
【０００５】
それ故本発明の目的は、子供や高齢者などの力の弱い使用者であっても簡単に胴部の押圧操作を行うことができる滴下容器を提供することにある。
【課題を解決するための手段】
【０００６】
本発明の滴下容器は、胴部の上部に口部が立設された容器本体と、該口部に装着されたキャップとを備え、前記キャップが、前記口部を通じて前記容器本体内と連通する排出孔を有するとともに、前記口部に装着される装着部と、前記装着部に第１のヒンジを介して揺動可能に保持され、該第１のヒンジの閉状態で前記排出孔を閉鎖する蓋部と、前記第１のヒンジの反対側に形成された第２のヒンジを介して前記蓋部に揺動可能に保持され、前記第１および第２のヒンジを共に開いて前記容器本体の反対側までめくり返すことで、前記容器本体の前記胴部を押圧可能な状態となる押圧操作レバーとを有する。
【０００７】
本発明の滴下容器にあっては、前記装着部は、前記第１のヒンジの下方位置に凸部を有し、前記押圧操作レバーは、前記第１および第２のヒンジを共に開いて前記容器本体の反対側までめくり返した際に前記凸部と嵌合する穴を有し、前記押圧操作レバーは、前記凸部および前記穴との嵌合箇所を支点として前記容器本体の前記胴部を押圧可能であることが好ましい。
【０００８】
また、本発明の滴下容器にあっては、前記第１および第２のヒンジが共に閉状態にあるときに、前記容器本体の前記胴部に沿った前記押圧操作レバーの格納姿勢を保持する保持手段を備えることが好ましい。
【発明の効果】
【０００９】
本発明の滴下容器によれば、押圧操作レバーを介して容器本体の胴部を押圧することができるため、子供や高齢者などの力の弱い使用者であっても簡単に胴部の押圧操作を行うことができる。
【図面の簡単な説明】
【００１０】
【図１】本発明の一実施形態の滴下容器の正面図である。
【図２】図１の滴下容器の背面図である。
【図３】図１の滴下容器の平面図である。
【図４】図１の滴下容器を一部断面で示す側面図である。
【図５】図１の滴下容器の使用方法を説明する図である。
【図６】図１の滴下容器を用いて内容液を滴下する様子を示した図である。
【発明を実施するための形態】
【００１１】
以下、本発明の実施の形態を図面に基づき詳細に説明する。以下の説明において、正面、背面、前、後というときには、図１の正面図を基準に正面側を前、背面側を後として説明する。
【００１２】
図１〜図３に示すように、本発明の一実施形態の滴下容器１０は、主として、目薬などの内容液を収容する合成樹脂製の容器本体１２と、容器本体１２に装着された合成樹脂製のキャップ１４とを備えている。
【００１３】
容器本体１２は、押圧（スクイズ）によって変形可能な胴部１６と、胴部１６の下端に形成された底部１８と、図４に示すように、胴部１６の上部中央に立設された口部２０とを有している。口部２０の外周面には、キャップ１４が装着される嵌合突条２０ａが形成されている。嵌合突条２０ａに代えておねじを形成してもよい。
【００１４】
キャップ１４は、装着部２２と、蓋部２４と、押圧操作レバー２６とを有している。装着部２２と、蓋部２４と、押圧操作レバー２６とは、好ましくは一体的に形成される。
【００１５】
装着部２２は、有頂筒状をなし容器本体１２の口部２０に外側から装着される。装着部２２の周壁部分２８は、容器本体１２の口部２０を取り囲むとともに口部２０を超えた高さ位置まで延在し、その内面には、キャップ１４の打栓時に口部２０の外周面の嵌合突条２０ａを乗り越えてそこに係止される嵌合突起２８ａが形成されている。嵌合突起２８ａに代えてめねじを形成してもよい。周壁部分２８の正面側上端部の僅かに下方位置には鍵爪状の引掛け部２８ｂが形成されている。周壁部分２８の背面側下端部には、後方へ向けて突片状の凸部３０が形成されている。凸部３０の先端（後端）の下面には突起３０ａが形成されている。
【００１６】
装着部２２の頂壁部分３２の中央には口部２０を通じて容器本体１２内と連通する排出孔３２ａが形成されている。また、頂壁部分３２には、口部２０の突端に向けて下垂しその下端部が該口部２０の突端に液密に当接する注出筒３４が形成されている。このように、注出筒３４および口部２０は協働して、容器本体１２内と排出孔３２ａとを連通する注出路を形成している。
【００１７】
蓋部２４は、装着部２２に背面側の第１のヒンジ（帯ヒンジ）３６を介して揺動可能に保持されている。蓋部２４の下面には、第１のヒンジ３６の閉状態で装着部２２の排出孔３２ａに嵌入する封止筒２４ａが形成されている。
【００１８】
押圧操作レバー２６は、第１のヒンジ３６の反対側である蓋部２４の正面側に第２のヒンジ（帯ヒンジ）３８を介して揺動可能に保持されている。押圧操作レバー２６は、第２および第１のヒンジ３８，３６をこの順に共に開くことで展開することができる。押圧操作レバー２６は、蓋部２４の幅と同じ幅の帯板状をなし、装着部２２および容器本体１２の胴部１６に沿って胴部１６の高さ方向中央を越える位置まで下方に延出している。押圧操作レバー２６の高さ方向略中間部分は、前方へ向けて湾曲した膨出部２６ａが形成されている。押圧操作レバー２６の背面（図４において周壁部分２８に対向する面）には、装着部２２の引掛け部２８ｂを収める溝２６ｂが形成され、該溝２６ｂの下面には引掛け部２８ｂに係止される係止凸部２６ｃが形成されている。
【００１９】
また、溝２６ｂと第２のヒンジ３８との間には、押圧操作レバー２６を貫通する矩形の穴２６ｄが形成されている。この穴２６ｄは、図５に示すように、第１および第２のヒンジ３６，３８を共に開いて押圧操作レバー２６をめくり返した際に装着部２２の背面側の凸部３０に対応する位置に形成されている。穴２６ｄの幅寸法および高さ寸法は、凸部３０の幅寸法および厚み寸法よりも大きく、凸部３０を挿通可能である。好ましくは、穴２６ｄの高さ寸法は、押圧操作レバー２６をめくり返した際に穴２６ｄの、凸部３０の上面に対向する周縁部分が該上面に嵌合する大きさである。これにより穴２６ｄと凸部３０の嵌合箇所（当接箇所）Ｐを押圧操作レバー２６を押し込むときの支点（てこの支点）とすることができる。
【００２０】
次いで、上記構成を備える滴下容器１０の使用態様について説明する。まず、図１〜図４に示した状態では、第１および第２のヒンジ３６，３８が閉じられ、蓋部２４が頂壁部分３２に合わさるとともに封止筒２４ａが排出孔３２ａを封止し、押圧操作レバー２６は、保持手段としての引掛け部２８ｂおよび係止凸部２６ｃを介して、装着部２２の周壁部分２８および容器本体１２の胴部１６の正面に沿う格納姿勢に保持されている。
【００２１】
この状態から押圧操作レバー２６を前方に引き起こして引掛け部２８ｂと係止凸部２６ｃとの嵌合を先ず解除し、次に、図５に示すように第２および第１のヒンジ３８，３６をこの順に共に開いて排出孔３２ａと封止筒２４ａとの嵌合を解除した後、押圧操作レバー２６の前面が容器本体１２の反対側の胴部背面部分１６ｂに対向するまでめくり返し、押圧操作レバー２６の穴２６ｄを装着部２２の凸部３０に嵌合（当接）させる。これにより、押圧操作レバー２６の背面が外面として露出し、後方を向く。このとき、凸部３０の先端下面に形成された突起３０ａを穴２６ｄの周縁部分が乗り越えることで押圧操作レバー２６の、凸部３０から離脱は抑制される。
【００２２】
続いて滴下容器１０を図６に示すように逆さにし、使用者の人差し指や中指等の数本の指を容器本体１２の胴部背面部分１６ｂ上にある押圧操作レバー２６の外面に掛けると共に、親指等の他の指を容器本体１２の反対側の胴部前面部分１６ｆ上に置く。この状態で使用者が押圧操作レバー２６を押圧すると、押圧操作レバー２６が内側へ移動するのに伴い、押圧操作レバー２６の膨出部２６ａが胴部背面部分１６ｂを押圧し、容器本体１２内が加圧されて内容液が排出孔３２ａを通って吐出、滴下される。
【００２３】
したがって、本実施形態の滴下容器１０によれば、押圧操作レバー２６がない場合と比べてより多くの指でもって押圧操作レバー２６を介して容器本体１２の胴部１６を押圧することができるため、子供や高齢者などの力の弱い使用者であっても簡単に胴部１６の押圧操作を行うことができる。また、使用時においてもキャップ１４が容器本体１２に装着されたままであるため、キャップ１４の置き場所も不要である。
【００２４】
特に、装着部２２の、第１のヒンジ３６の下方位置に凸部３０を設け、押圧操作レバー２６に、第１および第２のヒンジ３６，３８を共に開いて容器本体１２の反対側までめくり返した際に該凸部３０と嵌合する穴２６ｄを形成した好適な例では、押圧操作レバー２６を押し込んだ際に、凸部３０と穴２６ｄとの嵌合箇所Ｐを支点（てこの支点）として、その押圧力を押圧操作レバー２６の膨出部２６ａに効率よく集中させて容器本体１２の胴部１６に印加することができるので、より小さな力で簡単に胴部１６の押圧操作を行うことができる。
【００２５】
また、第１および第２のヒンジ３６，３８が共に閉状態にあるときに、押圧操作レバー２６が容器本体１２の胴部１６に沿うようにその姿勢を保持する保持手段として、例えば引掛け部２８ｂおよび係止凸部２６ｃを設けた好適な例では、非使用時において押圧操作レバー２６を邪魔にならないように格納することができる（図４参照）。なお、保持手段は、図示例に限定されず、例えば、押圧操作レバー２６の背面に凸または凹を、装着部２２の周壁部分２８の前面に該凸または凹と圧接可能な凹または凸をそれぞれ形成することにより、圧入により押圧操作レバー２６の格納姿勢を保持する構造を採用してよい（図示せず）。
【産業上の利用可能性】
【００２６】
本発明の滴下容器によれば、子供や高齢者などの力の弱い使用者であっても簡単に胴部の押圧操作を行うことができる。
【符号の説明】
【００２７】
１０  滴下容器
１２  容器本体
１４  キャップ
１６  胴部
１８  底部
２０  口部
２２  装着部
２４  蓋部
２６  押圧操作レバー
２６ｄ  穴
２８  周壁部分
３０  凸部
３２  頂壁部分
３２ａ  排出孔
３４  注出筒
３６  第１のヒンジ
３８  第２のヒンジ
【図１】
2020001753.tif 000003
【図２】
2020001753.tif 000004
【図３】
2020001753.tif 000005
【図４】
2020001753.tif 000006
【図５】
2020001753.tif 000007
【図６】
2020001753.tif 000008